【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
シートを搬送する第１のローラ対と第２のローラ対と、
前記第１のローラ対から前記第２のローラ対へシートを搬送する第１の搬送経路と、
前記第２のローラ対から前記第１のローラ対へシートをスイッチバック搬送する第２の搬送経路と、
前記第２のローラ対を圧接した状態、離間した状態のいずれかに切り替えるローラ接離切換手段と、
前記第１のローラ対、前記第２のローラ対及び前記ローラ接離切換手段を駆動する単一の駆動源と、
を有するシート搬送装置において、
前記第１のローラ対が前記駆動源の回転方向に拘わらず前記第１の搬送経路に向かってシートを搬送する方向に回転駆動され、
前記第２のローラ対が前記駆動源の回転方向に応じた方向に切り替わり、
スイッチバック搬送されたシートが前記第１のローラ対に到達したのち、前記駆動源が回転方向を切り換える際、前記駆動源からの駆動が前記第２のローラ対へ伝達されない非駆動伝達区間が設定されており、
該非駆動伝達区間によって前記第２のローラ対に駆動が伝達されていない間に前記ローラ接離切換手段が駆動され、前記第２のローラ対が離間することを特徴とするシート搬送装置。
【請求項２】
前記駆動源からの駆動を受けて回転する回転体であって、凸部あるいは凹部を有する第１の回転体と、
前記第２のローラ対に駆動を伝える回転体であって、前記第１の回転体の凸部あるいは凹部に係合する凹部あるいは凸部を有する第２の回転体とを有し、
前記第１の回転体及び前記第２の回転体は同軸上に互いに隣り合って配置され、
前記凸部と前記凹部の係合部には、前記第１の回転体と前記第２の回転体とが回転方向にあそびが有るようにガタを持って形成され、
前記ガタにより前記非駆動伝達区間が設定されていることを特徴とする請求項１に記載のシート搬送装置。
【請求項３】
積載されたシートを分離給送するシート分離部と、
前記シート分離部から前記第１のローラ対へシートを搬送する第３の搬送経路と、
前記シート分離部への駆動の接続、切断を行う分離部駆動切換手段と、
を更に有し、
前記シート分離部及び前記分離部駆動切換手段は前記駆動源によって駆動され、
前記分離部駆動切換手段は、前記駆動源の正転／逆転の所定駆動量の組み合わせによる特定の駆動パターンの駆動を受けた場合にのみ前記シート分離部に駆動を接続し、
所定駆動量以上の逆転駆動により前記シート分離部の駆動を切断することを特徴とする請求項１に記載のシート搬送装置。
【請求項４】
前記第１の搬送経路上で前記第１のローラ対の下流側の所定位置にシートが到達したことを検知するシート検知手段を有し、
前記シート検知手段が前記第２のローラ対によってスイッチバック搬送されたシートが到達したことを検知したのち、前記駆動源の回転方向を切り換えることを特徴とする請求項１に記載のシート搬送装置。
【請求項５】
シートを搬送する第１の搬送手段と、
シートを挟持する一対のローラによってシートを搬送するとともに、前記第１の搬送手段によって搬送されたシートを第１の方向に搬送し、次いで第１の方向とは反対方向の第２の方向に搬送してスイッチバックさせることが可能な第２の搬送手段と、
前記第１の搬送手段によって搬送されるシートを前記第２の搬送手段に案内する第１の搬送路と、
前記第１の搬送路によって案内されたシートを前記第２の搬送手段によってスイッチバック搬送したとき、スイッチバック搬送されたシートを前記第１の搬送手段に案内する第２の搬送路と、
駆動源と、
前記駆動源の回転方向にかかわらず前記第１の搬送手段がシートを前記第１の搬送路を経て第２の搬送手段に搬送するように、前記駆動源の駆動を前記第１の搬送手段に伝達する第１の伝達手段と、
前記駆動源が第１の回転方向に回転したときに前記第１の方向にシートを搬送し、前記駆動源が前記第１の回転方向とは反対の第２の回転方向に回転したときに前記第２の方向にシートを搬送するように、前記駆動源の駆動を前記第２の搬送手段に伝達するとともに、前記駆動源の回転方向が変化したとき一時的に駆動を伝達しない第２の伝達手段と、
前記駆動源が第１の回転方向に回転したときの駆動によって前記第２の搬送手段のローラ対を離間させるローラ離間手段と、
前記第２の搬送手段によってスイッチバック搬送されたシートが前記第１の搬送手段に到達した後に、前記駆動源を前記第２の回転方向から前記第１の回転方向に回転させ、前記第２の伝達手段が前記第２の搬送手段に駆動を伝達しない間に前記ローラ離間手段によって前記ローラ対を離間させることを特徴とするシート搬送装置。
【請求項６】
前記第２の搬送手段から前記第２の搬送路、前記第１の搬送手段、前記第１の搬送路を経て前記第２の搬送手段に戻る搬送経路は、搬送されるシートの搬送方向の長さより短い請求項５に記載のシート搬送装置。
【請求項７】
シートを搬送する搬送手段と、
第１の方向に回転して前記搬送手段から前記シートを受け取り、前記第１の方向と反対の第２の方向に回転して前記搬送手段に前記シートを搬送する搬送ローラと、
前記搬送ローラと共に前記シートを挟むピンチローラと、
駆動源の回転方向に従って、前記第１の方向と前記第２の方向との間で前記搬送ローラの回転方向が切り換わるように前記駆動源の駆動力を前記搬送ローラに伝達する伝達手段と、を備え、
前記搬送ローラは前記駆動源が第１の駆動回転方向に回転する場合に前記第１の方向に回転し、
前記搬送ローラは前記駆動源が第２の駆動回転方向に回転する場合に前記第２の方向に回転し、
前記伝達手段は、
前記駆動源の駆動回転方向が前記第２の駆動回転方向から前記第１の駆動回転方向に切り替わる場合に、前記搬送ローラが自由回転可能となるように前記搬送ローラへの前記駆動力の伝達を一時的に停止することを特徴とするシート搬送装置。
【請求項８】
前記伝達手段は、
前記駆動源の前記駆動回転方向が、前記第２の駆動回転方向から前記第１の駆動回転方向に切り換わった後の前記駆動源の回転量が所定量に達した場合、前記駆動力を前記搬送ローラに伝達することを特徴とする請求項７に記載のシート搬送装置。
【請求項９】
前記ピンチローラを前記搬送ローラから離間した位置に移動する移動手段を更に備え、
前記伝達手段は、
前記駆動源の前記駆動回転方向が前記第２の駆動回転方向から前記第１の駆動回転方向に切り換わった後、前記移動手段が前記ピンチローラを前記搬送ローラから離間した前記位置に移動する場合に、前記搬送ローラに前記駆動力を伝達することを特徴とする請求項７又は８に記載のシート搬送装置。
【請求項１０】
前記移動手段は、前記駆動源から前記駆動力が伝達されることによって前記ピンチローラを前記搬送ローラから離間した前記位置に移動することを特徴とする請求項９に記載のシート搬送装置。
【請求項１１】
前記ピンチローラを前記搬送ローラから離間した位置に移動する移動手段を更に備え、
前記伝達手段は、
前記移動手段が前記ピンチローラを前記搬送ローラから離間した前記位置に移動し、前記駆動源の前記駆動回転方向が前記第２の駆動回転方向から前記第１の駆動回転方向に切り換わった場合に、前記搬送ローラに前記駆動力を伝達することを特徴とする請求項７又は８に記載のシート搬送装置。
【請求項１２】
シートを搬送する第１の搬送手段と、
前記第１の搬送手段によって搬送されるシート上の画像を読み取る読取手段と、
第１の方向に前記シートを搬送して前記第１の搬送手段から前記シートを受け取り、前記第１の方向の搬送の後、第２の方向に前記シートを搬送して前記第１の搬送手段に前記シートを搬送する第２の搬送手段と、
前記第２の搬送手段を駆動する駆動源と、
前記第２の搬送手段に前記駆動源の駆動力を伝達する駆動伝達手段と、
前記駆動源の回転方向を切り換える制御手段と、を備え、
前記第２の搬送手段は、前記駆動源が第１の回転方向に回転する場合に前記シートを前記第１の方向に搬送し、前記駆動源が第２の回転方向に回転する場合に前記シートを前記第２の方向に搬送し、
前記制御手段は、
前記第２の搬送手段が前記シートを前記第２の方向に搬送し、かつ、同じシートを前記第１の搬送手段が搬送している場合に、前記駆動源の前記回転方向が前記第２の回転方向から前記第１の回転方向に切り換わるように前記駆動源の回転方向を切り換え、
前記第２の搬送手段は、
搬送ローラと、
前記搬送ローラと共に前記シートを挟むピンチローラと、を備え、
前記駆動伝達手段は、
前記駆動源の前記回転方向が前記第２の回転方向から前記第１の回転方向に切り替わる場合に、前記搬送ローラが自由回転可能となるように前記搬送ローラへの前記駆動力の伝達を一時的に停止することを特徴とする読取装置。
【請求項１３】
前記駆動伝達手段は、
前記駆動源の前記回転方向に関わらず前記第１の搬送手段が前記シートを前記第２の搬送手段へ搬送するように、前記駆動源の駆動力を前記第１の搬送手段に伝達することを特徴とする請求項１２に記載の読取装置。
【請求項１４】
前記制御手段は、
前記シートが前記読取手段に到達する前に前記駆動源の前記回転方向を切り換えることを特徴とする請求項１２又は１３に記載の読取装置。
【請求項１５】
前記ピンチローラを前記搬送ローラから離間した位置に移動する移動手段を更に備え、
前記駆動伝達手段は、
前記駆動源の前記駆動回転方向が前記第１の駆動回転方向に切り換わった後、前記移動手段が前記ピンチローラを前記搬送ローラから離間した前記位置に移動する場合に、前記搬送ローラに前記駆動力を伝達することを特徴とする請求項１２乃至１４のいずれか１項に記載の読取装置。
【請求項１６】
前記駆動伝達手段は、
前記駆動源の前記回転方向が、前記第２の回転方向から前記第１の駆動回転方向に切り換わった後の前記駆動源の回転量が所定量に達した場合、前記駆動力を前記搬送ローラに伝達することを特徴とする請求項１２乃至１５のいずれか１項に記載の読取装置。
【手続補正２】
【補正対象書類名】明細書
【補正対象項目名】発明の名称
【補正方法】変更
【補正の内容】
【発明の名称】シート搬送装置及び読取装置